(57)【要約】【課題】筐体部の内側に異物が侵入することを抑制する。【解決手段】媒体Ｍに印刷を行う印刷部６と、印刷部６を収容する筐体部３２と、媒体Ｍを支持し、筐体部３２の内部を移動可能な支持部４と、支持部４に装着可能な枠部１０と、を備え、枠部１０は、支持部４に支持される媒体Ｍを押さえる押さえ部１６と、該押さえ部１６に対して外側に突出する突出部１７と、を有することを特徴とする印刷装置１。このような構成とすることにより、筐体部３２の内側に異物が侵入することを抑制することが可能になる。【選択図】図９
2017109860.tif 000002
【特許請求の範囲】
【請求項１】
媒体に印刷を行う印刷部と、
前記印刷部を収容する筐体部と、
前記媒体を支持し、前記筐体部の内部を移動可能な支持部と、
前記支持部に装着可能な枠部と、を備え、
前記枠部は、前記支持部に支持される前記媒体を押さえる押さえ部と、該押さえ部に対して外側に突出する突出部と、を有することを特徴とする印刷装置。
【請求項２】
請求項１に記載の印刷装置において、
前記突出部は、前記支持部が前記筐体部の内部に位置するときに、平面視における前記枠部と前記筐体部との隙間の大きさが所定以下となるよう構成されていることを特徴とする印刷装置。
【請求項３】
請求項１又は２に記載の印刷装置において、
前記支持部として、前記媒体を支持する支持面の面積の異なる複数のタイプを該印刷装置に装着可能であり、
前記枠部は、前記支持面と交差する方向から見た前記突出部の面積が異なる複数のタイプのうちから、前記支持面の面積に対応するタイプを前記支持部に装着可能であることを特徴とする印刷装置。
【請求項４】
請求項３に記載の印刷装置において、
前記支持部のタイプの情報を示すマークを検出可能な検出部を備え、
前記突出部には、前記検出部による検出位置に、前記マークが設けられていることを特徴とする印刷装置。
【請求項５】
請求項４に記載の印刷装置において、
前記検出部の少なくとも一部は、前記支持面と交差する方向において前記突出部よりも前記支持面側とは反対側に設けられることを特徴とする印刷装置。
【請求項６】
請求項１から５のいずれか１項に記載の印刷装置において、
前記突出部は、肉抜き部が設けられていることを特徴とする印刷装置。
【請求項７】
請求項１から５のいずれか１項に記載の印刷装置において、
前記突出部は、重り部が設けられていることを特徴とする印刷装置。
【発明の詳細な説明】
【技術分野】
【０００１】
本発明は、印刷装置に関する。
【背景技術】
【０００２】
従来から、様々な印刷装置が使用されている。このような印刷装置のうち、媒体を支持して筐体部の内部を移動可能な支持部を備える印刷装置がある。  
例えば、特許文献１には、媒体としての被捺染材を支持部としてのセットトレイで支持するとともに、被捺染材をセットトレイに対して枠部（枠）で押さえた状態にして、筐体部の内部を移動可能な印刷装置（インクジェット捺染装置）が開示されている。
【先行技術文献】
【特許文献】
【０００３】
【特許文献１】特開２０１３−２２６６５７号公報
【発明の概要】
【発明が解決しようとする課題】
【０００４】
しかしながら、特許文献１で開示されるような、筐体部の内部を移動可能な支持部を備える従来の印刷装置においては、枠部と筐体内部（支持部の移動経路における内壁など）との隙間などから筐体部の内側に異物が侵入する虞があった。
【０００５】
そこで、本発明の目的は、筐体部の内側に異物が侵入することを抑制することを目的にする。
【課題を解決するための手段】
【０００６】
上記課題を解決するための本発明の第１の態様の印刷装置は、媒体に印刷を行う印刷部と、前記印刷部を収容する筐体部と、前記媒体を支持し、前記筐体部の内部を移動可能な支持部と、前記支持部に装着可能な枠部と、を備え、前記枠部は、前記支持部に支持される前記媒体を押さえる押さえ部と、該押さえ部に対して外側に突出する突出部と、を有することを特徴とする。
【０００７】
本態様によれば、押さえ部に対して外側に突出する突出部を備えているので、該突出部によって、枠部と筐体部との隙間から異物が侵入することを抑制することができる。また、突出部の分だけ枠部の重量が増加するため、好適に媒体を押さえることができるというメリットもある。  
なお、「押さえ部に対して外側に突出する突出部」とは、媒体を例えば上から及び横から押さえる構成部材の構成部分（押さえ部）に対して、さらに、外側（例えば横側）に突出する構成部材又は構成部分を意味する。
【０００８】
本発明の第２の態様の印刷装置は、前記第１の態様において、前記突出部は、前記支持部が前記筐体部の内部に位置するときに、平面視における前記枠部と前記筐体部との隙間の大きさが所定以下となるよう構成されていることを特徴とする。
【０００９】
本態様によれば、突出部は、支持部が筐体部の内部に位置するときに、平面視における枠部と筐体部との隙間の大きさが所定以下となるよう構成されている。ここで、「大きさが所定以下」とは、想定する異物が侵入しない大きさであることを意味する。このため、このような構成とすることで、枠部と筐体部との隙間から想定する異物が侵入することを抑制することができる。
【００１０】
本発明の第３の態様の印刷装置は、前記第１又は第２の態様において、前記支持部として、前記媒体を支持する支持面の面積の異なる複数のタイプを該印刷装置に装着可能であり、前記枠部は、前記支持面と交差する方向から見た前記突出部の面積が異なる複数のタイプのうちから、前記支持面の面積に対応するタイプを前記支持部に装着可能であることを特徴とする。
【００１１】
本態様によれば、支持部として媒体を支持する支持面の面積の異なる複数のタイプを該印刷装置に装着可能であり、枠部は支持面と交差する方向から見た突出部の面積が異なる複数のタイプのうちから支持面の面積に対応するタイプを支持部に装着可能である。このため、突出部の面積を支持面の面積に応じて異ならせることで、枠部と筐体内部との隙間の大きさを所定以下に保つことができ、効果的に異物が侵入することを抑制することができる。  
なお、「支持面の面積に対応する」とは、例えば、支持面の面積と突出部の面積との和が所定の面積の範囲となる（すなわち、支持面の面積と突出部の面積とが反比例する関係になる）場合などが挙げられる。
【００１２】
本発明の第４の態様の印刷装置は、前記第３の態様において、前記支持部のタイプの情報を示すマークを検出可能な検出部を備え、前記突出部には、前記検出部による検出位置に、前記マークが設けられていることを特徴とする。
【００１３】
本態様によれば、支持部のタイプの情報を示すマークを検出可能な検出部を備え、突出部には検出部による検出位置にマークが設けられている。このため、どのタイプの支持部が印刷装置に装着されているか簡単に判断することができる。
【００１４】
本発明の第５の態様の印刷装置は、前記第４の態様において、前記検出部の少なくとも一部は、前記支持面と交差する方向において前記突出部よりも前記支持面側とは反対側に設けられることを特徴とする。
【００１５】
本態様によれば、検出部の少なくとも一部は、支持面と交差する方向において突出部よりも支持面側とは反対側に設けられる。印刷に伴うインクミストなどは、支持面側に浮遊しがちであるが、検出部の少なくとも一部を突出部よりも支持面側とは反対側に設けることで、このようなインクミストなどで検出部が汚れることを抑制できる。
【００１６】
本発明の第６の態様の印刷装置は、前記第１から第５のいずれか１つの態様において、前記突出部は、肉抜き部が設けられていることを特徴とする。
【００１７】
本態様によれば、突出部は、肉抜き部が設けられている。このため、枠部を軽量化することができ、媒体を支持部に支持させる際の作業性を向上させることが可能になる。
【００１８】
本発明の第７の態様の印刷装置は、前記第１から第５のいずれか１つの態様において、前記突出部は、重り部が設けられていることを特徴とする。
【００１９】
本態様によれば、突出部は、重り部が設けられている。このため、枠部を重く構成でき、好適に媒体を押さえることができる。
【図面の簡単な説明】
【００２０】
【図１】本発明の実施例１に係る印刷装置の概略斜視図。
【図２】本発明の実施例１に係る印刷装置の概略斜視図。
【図３】本発明の実施例１に係る印刷装置の概略正面図。
【図４】本発明の実施例１に係る印刷装置の概略側面図。
【図５】本発明の実施例１に係る印刷装置のブロック図。
【図６】本発明の実施例１に係る印刷装置の媒体支持ユニットの一部を表す概略斜視図。
【図７】本発明の実施例１に係る印刷装置の媒体支持ユニットの一部と参考例の媒体支持ユニットの一部とを表す概略斜視図。
【図８】本発明の実施例１に係る印刷装置の媒体支持ユニットの一部を表す概略正面断面図。
【図９】本発明の実施例１に係る印刷装置の概略斜視透視図。
【図１０】本発明の実施例１に係る印刷装置の概略斜視断面図。
【図１１】本発明の実施例１に係る印刷装置の概略平面図。
【図１２】本発明の実施例１に係る印刷装置の枠部を表す概略平面図。
【図１３】本発明の実施例２に係る印刷装置の枠部を表す概略側面図。
【発明を実施するための形態】
【００２１】
［実施例１］（図１から図１２）  
以下に、本発明の実施例１に係る印刷装置１について、添付図面を参照して詳細に説明する。  
最初に、本実施例の印刷装置１の概要について説明する。  
図１及び図２は本実施例に係る印刷装置１の概略斜視図であり、このうち図１は本実施例の印刷装置１の媒体Ｍ（図６参照）の支持部としてのトレイ４が印刷開始位置にある状態、図２はトレイ４が媒体Ｍのセット位置にある状態を表している。  
また、図３は本実施例の印刷装置１の概略正面図であり、図４は本実施例の印刷装置１の概略側面図である。
【００２２】
本実施例の印刷装置１は、媒体Ｍをトレイ４の支持面８で支持した状態で移動方向Ａに移動する媒体支持ユニット２を備えている。媒体支持ユニット２は、媒体Ｍの支持部であるトレイ４を有している。印刷装置１は、トレイ４に支持された媒体Ｍを移動方向Ａに搬送する媒体搬送部３を備えている。移動方向Ａは、方向Ａ１と、方向Ａ１と反対方向の方向Ａ２と、を含む方向である。また、トレイ４はステージ５に載置されている。トレイ４はステージ５と共に、回転レバー９を回転させることにより、高さ方向Ｃに移動する。なお、図４で表されるように、回転レバー９は、媒体支持ユニット２のアーム部に設けられている。また、媒体Ｍとしては、テキスタイル（織物、布等）、紙、塩化ビニル樹脂など、種々の素材のものを用いることができる。  
なお、媒体支持ユニット２の詳細な説明は後述する。
【００２３】
また、印刷装置１の本体内部（筐体部３２の内側）にはインクを吐出して媒体Ｍに印刷することが可能な印刷ヘッド７が備えられている。そして、本実施例の印刷装置１は、印刷ヘッド７が設けられたキャリッジ６を移動方向Ａと交差する走査方向Ｂに往復移動させることで、印刷ヘッド７を走査方向Ｂに往復移動させながら、印刷ヘッド７からトレイ４に支持された媒体Ｍにインクを吐出させて所望の画像を形成する。本実施例において、印刷ヘッド７を備えたキャリッジ６は、走査方向Ｂに移動可能であり、媒体Ｍに画像を印刷可能な印刷部（換言すれば、媒体Ｍに印刷を行う印刷部）に相当する。  
なお、本実施例の印刷装置１は、図１及び図２中の手前側（左下方向）がトレイ４への媒体のセット位置（図２に対応）である。そして、図１及び図２中の奥側（右上方向）の印刷開始位置（図１に対応）まで移動方向Ａのうちの方向Ａ１に媒体をセットしたトレイ４を移動した後、移動方向Ａのうちの方向Ａ２にトレイ４を移動しながら印刷する。
【００２４】
なお、本実施例の印刷装置１は、走査方向Ｂに往復移動しながら印刷する印刷ヘッド７を備えているが、インクを吐出するノズルを媒体の移動方向と交差する交差方向に複数設けた所謂ラインヘッドを備える印刷装置でもよい。  
ここで、「ラインヘッド」とは、媒体の移動方向と交差する交差方向に形成されたノズルの領域が、該交差方向全体をカバー可能なように設けられ、印刷ヘッド又は媒体を相対的に移動させて画像を形成する印刷装置に用いられる印刷ヘッドである。なお、ラインヘッドの該交差方向のノズルの領域は、印刷装置が対応している全ての媒体の該交差方向をカバー可能でなくてもよい。  
また、本実施例の印刷ヘッド７を備えたキャリッジ６は、媒体にインクを吐出することで印刷可能な印刷部であるが、このような印刷部に限定されず、例えば、色材を媒体に転写して印刷する転写式の印刷部を使用してもよい。
【００２５】
次に、本実施例の印刷装置１における電気的な構成について説明する。  
図５は、本実施例の印刷装置１のブロック図である。  
制御部１９には、印刷装置１の全体の制御を司るＣＰＵ２０が設けられている。ＣＰＵ２０は、システムバス２１を介して、ＣＰＵ２０が実行する各種制御プログラム等を格納したＲＯＭ２２と、データを一時的に格納可能なＲＡＭ２３と、に接続されている。
【００２６】
また、ＣＰＵ２０は、システムバス２１を介して、印刷ヘッド７を駆動するためのヘッド駆動部２４と接続されている。  
また、ＣＰＵ２０は、システムバス２１を介して、モーター駆動部２５と接続されている。そして、モーター駆動部２５は、印刷ヘッド７が設けられたキャリッジ６を移動させるためのキャリッジモーター２６、媒体Ｍを搬送する（すなわち、媒体支持ユニット２を移動する）ために媒体搬送部３に設けられた搬送モーター２７、と接続されている。  
さらに、ＣＰＵ２０は、システムバス２１を介して、入出力部２８と接続されている。そして、入出力部２８は、後述するセンサーＳｅ（図８参照）、印刷データ等のデータ及び信号の送受信を行うためのＰＣ２９、と接続されている。
【００２７】
次に、本実施例の媒体支持ユニット２について詳細に説明する。  
ここで、図６は、本実施例の媒体支持ユニット２の一部を表す概略斜視図である。詳細には、媒体支持ユニット２のトレイ４及び枠部１０を表す概略斜視図である。  
また、図７は、本実施例の媒体支持ユニット２の一部（図７Ａ）と、枠部１０が形成されていない参考例の媒体支持ユニット２の一部（図７Ｂ）と、を表す概略斜視図である。  
そして、図８は、本実施例の媒体支持ユニット２の一部を表す概略正面断面図である。
【００２８】
本実施例の媒体支持ユニット２は、図６で表されるように、媒体Ｍを支持可能な支持部としてのトレイ４と、トレイ４に支持される媒体Ｍを押さえることが可能な枠状の枠部１０と、を備えている。  
そして、媒体Ｍをトレイ４の支持面８で支持させ、トレイ４の縁部上面１３に枠部１０の庇部１１が載せられる状態となるようにすることで、媒体Ｍを枠部１０で押さえることが可能な構成である。詳細には、図８で表されるように、枠部１０は、トレイ４の縁部上面１３に対して媒体Ｍを上から押さえるとともにトレイ４の第１の縁部側面３１に対して媒体Ｍを横から押さえる庇部１１と、トレイ４の第２の縁部側面１８に対して媒体Ｍを横から押さえる壁部１２と、で構成される押さえ部１６を備えている。また、図８で表されるように、枠部１０は、押さえ部１６の壁部１２から外側にのびる板状の突出部１７を備えている。  
本実施例の媒体支持ユニット２は、このような突出部１７を備えた枠部１０を装着可能に構成されており、該枠部１０が装着されると、図７Ａで表されるように、該枠部１０の幅（走査方向Ｂにおける長さ）は媒体受け部３０と同様の幅となる。なお、媒体受け部３０の幅は、媒体支持ユニット２に支持された媒体Ｍの一部が媒体受け部３０から落ちて媒体搬送部３に接触することが無いよう、印刷装置１における筐体部３２の媒体搬送経路の幅との隙間がほとんど生じない幅となっている。
【００２９】
また、詳細は後述するが、本実施例の媒体支持ユニット２は、媒体Ｍの大きさや形状などに対応して、複数の異なる大きさのトレイ４を使用可能な構成になっている。そして、各トレイ４に対応して突出部１７の大きさが異なる枠部１０が用意されている。図８で表されるように、本実施例の媒体受け部３０には、どのトレイ４（即ち、どの枠部１０）が印刷装置１に装着されているかが分かるようにセンサーＳｅが設けられている。そして、突出部１７におけるセンサーＳｅの検出可能位置には、対応するトレイ４（即ち、対応する枠部１０）を表すマーク３３が形成されている。制御部１９は、センサーＳｅによるマーク３３の読み取り結果から、どのトレイ４（即ち、どの枠部１０）が印刷装置１に装着されているか認識可能である。
【００３０】
なお、図６で表されるように、本実施例のトレイ４には、ステージ５から取り外して床などに設置する際の設置部１４と、ステージ５に対して位置決め可能な位置決め部１５とを備えている。  
ただし、トレイ４の構成に特に限定はない。
【００３１】
本実施例の枠部１０における突出部１７の役割についてさらに詳細に説明する。  
ここで、図９及び図１０は本実施例の印刷装置１の概略斜視図であり、このうち図９は概略斜視透視図、図１０は概略斜視断面図を表している。  
また、図１１は、本実施例の印刷装置１の概略平面図である。  
そして、図１２は、本実施例の枠部１０の概略平面図であり、このうち図１２Ａは大きな媒体Ｍに対応した大きな支持面８を有するトレイ４を使用する際の枠部１０ａを表しており、図１２Ｂは小さな媒体Ｍに対応した小さな支持面８を有するトレイ４を使用する際の枠部１０ｂを表している。
【００３２】
図７Ａと図７Ｂを比較するとわかるように、本実施例の枠部１０は、押さえ部１６の壁部１２にから外側にのびる板状の突出部１７を備えている。このため、図９及び図１０で表されるように、印刷時など、印刷装置１のキャリッジ６が走査方向Ｂに移動している際において、媒体Ｍの搬送経路に設けられた筐体部３２の開口部３５を介して枠部１０と筐体部３２との隙間Ｓから侵入方向Ｉに異物が侵入することを効果的に抑制できる構成になっている。開口部３５から侵入した異物がキャリッジ６に接触すると、画像品質が低下する虞やキャリッジ６が損傷する虞がある。本実施例の印刷装置１は、このような虞を低減することが可能な構成になっている。
【００３３】
上記のように、本実施例の印刷装置１は、媒体Ｍに印刷を行うキャリッジ６と、キャリッジ６を収容する筐体部３２と、媒体Ｍを支持して３２の内部を移動可能なトレイ４と、トレイ４に装着可能な枠部１０と、を備えている。  
そして、枠部１０は、トレイ４に支持される媒体Ｍを押さえる押さえ部１６と、該押さえ部１６に対して外側に突出する突出部１７と、を有している。  
すなわち、本実施例の印刷装置１は、押さえ部１６に対して外側に突出する突出部１７を備えているので、該突出部１７によって、枠部１０と筐体部３２との隙間Ｓから異物が侵入することを抑制することができる構成になっている。  
また、突出部１７の分だけ枠部１０の重量が増加しているため、好適に媒体Ｍを押さえることができるというメリットもある。  
なお、「押さえ部１６に対して外側に突出する突出部１７」とは、媒体Ｍを例えば上から及び横から押さえる構成部材の構成部分（本実施例では押さえ部１６）に対して、さらに、外側（例えば横側）に突出する構成部材又は構成部分を意味する。
【００３４】
ここで、本実施例の突出部１７は、トレイ４が筐体部３２の内部に位置するときに、平面視における枠部１０と筐体部３２との隙間Ｓの大きさが所定以下となるよう構成されている。ここで、「大きさが所定以下」とは、想定する異物が侵入しない大きさであることを意味する。このため、このような構成とすることで、枠部１０と筐体部３２との隙間から想定する異物が侵入することを抑制することができる構成になっている。
【００３５】
また、上記のように、本実施例の印刷装置１は、トレイ４として、媒体Ｍを支持する支持面８の面積の異なる複数のタイプを該印刷装置１に装着可能であり、図１２で表されるように、枠部１０は、平面視で突出部１７の面積が異なる複数のタイプのもの（枠部１０ａ及び枠部１０ｂ）を使用可能である。別の表現をすると、枠部１０は、支持面８と交差する方向（高さ方向Ｃ）から見た突出部１７の面積が異なる複数のタイプのうちから、支持面８の面積に対応するタイプをトレイ４に装着可能である。  
本実施例の印刷装置１は、このような構成のため、突出部１７の面積を支持面８の面積に応じて異ならせることで、枠部１０と筐体部３２（筐体内部）との隙間Ｓの大きさを所定以下に保っている。そして、このことで、効果的に異物が侵入することを抑制している。  
なお、「支持面８の面積に対応する」とは、例えば、支持面８の面積と突出部１７の面積との和が所定の面積の範囲となる（すなわち、支持面８の面積と突出部１７の面積とが反比例する関係になる）場合などが挙げられる。  
ここで、本実施例の枠部１０ａ及び枠部１０ｂは、枠部１０ａの幅方向（走査方向Ｂ）の長さＬ１ａ及び枠部１０ｂの幅方向の長さＬ１ｂ、枠部１０ａの移動方向Ａの長さＬ２ａ及び枠部１０ｂの移動方向Ａの長さＬ２ｂが、共に同じとなるように構成されている。  
また、複数のタイプのトレイ４及び枠部１０を使用可能な構成として、２種類のトレイ４及び枠部１０を使用可能な構成だけでなく３種類以上のトレイ４及び枠部１０を使用可能な構成としてもよい。
【００３６】
また、上記のように、本実施例の印刷装置１はトレイ４のタイプの情報を示すマーク３３を検出可能な検出部としてのセンサーＳｅを備えており、突出部１７にはセンサーＳｅによる検出位置にマーク３３が設けられている（図８参照）。このため、どのタイプのトレイ４が印刷装置１に装着されているか簡単に判断することができる構成になっている。  
なお、センサーＳｅの種類やマーク３３の構成などに特に限定はなく、例えば、センサーＳｅとしては反射型のものを使用することができる。
【００３７】
また、図８で表されるように、本実施例のセンサーＳｅは、支持面８と交差する方向（高さ方向Ｃ）において突出部１７よりも支持面８側とは反対側（下側）に設けられている。印刷に伴うインクミストなどは、支持面８側に浮遊しがちであるが、センサーＳｅの少なくとも一部を突出部１７よりも支持面８側とは反対側に設けることで、このようなインクミストなどでセンサーＳｅが汚れることを抑制できる。
【００３８】
なお、本実施例の枠部１０には設けられていないが、突出部１７に、肉抜き部が設けられていてもよい。突出部１７に肉抜き部（孔や切欠きなど）が設けられると、枠部１０を軽量化することができ、媒体Ｍをトレイ４に支持させる際の作業性を向上させることが可能になる。
【００３９】
一方、突出部１７に重り部が設けられていてもよい。突出部１７に重り部が設けられていると、枠部１０を重く構成でき、好適に媒体Ｍを押さえることができる。
【００４０】
また、本実施例のトレイ４は平面視で長方形であり、本実施例の枠部１０のトレイ４に対応する内側の形状及び外側の形状（突出部１７の外周を構成する形状）のいずれも、図１２で表されるように平面視で長方形であり、左右（走査方向Ｂ）に対称であるとともに前後（移動方向Ａに）対称である。このため、本実施例の枠部１０は、前後左右の配置を気にせずトレイ４に装着可能である。ただし、このような構成に限定されない。前後非対称や左右非対称でもよく、円形や楕円形でもよく、突出部１７の一部に切欠き部などが有ってもよい。
【００４１】
また、筐体部３２の内側における媒体支持ユニット２が移動する移動経路はほぼ直方体で構成されている。このため、効果的に枠部１０と筐体部３２との隙間Ｓの大きさを小さくするために突出部１７の外周を構成する形状は平面視で長方形になっている。しかしながら、該移動経路は曲面などで構成されていてもよく、それに合わせて、突出部１７の外周を構成する形状も曲面などで構成されていてもよい。
【００４２】
［実施例２］（図１３）  
次に、本発明の実施例２に係る印刷装置１について説明する。  
図１３は、本実施例の印刷装置１における枠部１０を表す概略側面図である。  
ここで、本実施例の印刷装置１は、枠部１０以外の構成は実施例１の印刷装置１と同様の構成である。なお、上記実施例１の印刷装置１における構成部材と同じ構成部材は同じ符号で表している。このため、その詳細な説明は省略する。
【００４３】
実施例１の枠部１０は、トレイ４に対して取り外し可能な構成であった。  
一方、本実施例の枠部１０は、トレイ４に取り付けられた回動軸３４を有し、回動軸３４を基準にトレイ４に対して回動方向Ｄに回動可能な構成である。このような構成とすることで、トレイ４から枠部１０を取り外すことなくトレイ４に媒体Ｍをセットでき、トレイ４から取り外した枠部１０を置いておくスペースを確保する必要性を無くすことができる。
【００４４】
なお、本発明は上記実施例に限定されることなく、特許請求の範囲に記載した発明の範囲内で種々の変形が可能であり、それらも本発明の範囲内に含まれることは言うまでもない。
【符号の説明】
【００４５】
１…印刷装置、２…媒体支持ユニット、３…媒体搬送部、４…トレイ（支持部）、
５…ステージ、６…キャリッジ（印刷部）、７…印刷ヘッド、８…支持面、
９…回転レバー、１０、１０ａ、１０ｂ…枠部、１１…庇部、１２…壁部、
１３…トレイ４の縁部上面、１４…設置部、１５…位置決め部、１６…押さえ部、
１７…突出部、１８…トレイ４の第２の縁部側面、１９…制御部、２０…ＣＰＵ、
２１…システムバス、２２…ＲＯＭ、２３…ＲＡＭ、２４…ヘッド駆動部、
２５…モーター駆動部、２６…キャリッジモーター、２７…搬送モーター、
２８…入出力部、２９…ＰＣ、３０…媒体受け部、３１…トレイ４の第１の縁部側面、
３２…筐体部、３３…マーク、３４…回動軸、３５…開口部、Ｍ…媒体、
Ｌ１ａ…枠部１０ａの幅方向の長さ、Ｌ１ｂ…枠部１０ｂの幅方向の長さ、
Ｌ２ａ…枠部１０ａの移動方向Ａの長さ、Ｌ２ｂ…枠部１０ｂの移動方向Ａの長さ、
Ｓ…隙間、Ｓｅ…センサー（検出部）
【図１】
2017109860.tif 000003
【図２】
2017109860.tif 000004
【図３】
2017109860.tif 000005
【図４】
2017109860.tif 000006
【図５】
2017109860.tif 000007
【図６】
2017109860.tif 000008
【図７】
2017109860.tif 000009
【図８】
2017109860.tif 000010
【図９】
2017109860.tif 000011
【図１０】
2017109860.tif 000012
【図１１】
2017109860.tif 000013
【図１２】
2017109860.tif 000014
【図１３】
2017109860.tif 000015